(57)【要約】【課題】フィルターの収納場所を拡大することなく、内部の光源、電源などのデバイスを冷却し、かつ、画像表示素子や光源周辺の粉塵の付着を防止しながら、フィルター交換までの時間を延ばすことのできる、粉塵除去機能を備えた投写型画像表示装置を提供することを目的とする。【解決手段】筐体１００内には、少なくとも光源１０４や、液晶パネル１１３Ｇ、１１３Ｂ、１１３Ｒを含む光学ユニット１０６を内包する第１の部屋１０２と、少なくとも電源ユニット１２３を内包する第２の部屋１０３とに内部を分ける隔壁１０１を備えており、粉塵捕捉部１２９の小型筐体１３６の開口部１３７に露出している部分のうち、ロール形態の静電フィルター１３１の引き出される側を通過する空気は第１の部屋１０２に導かれ、静電フィルター１３１の収納側を通過する側を透過する空気は第２の部屋１０３に導かれる。【選択図】図１
2009186720.tif 000002
【特許請求の範囲】
【請求項１】
少なくとも吸気口を有する筐体と、前記吸気口に配置される粉塵捕捉部と、吸気ファンと、光源部と、画像形成部と、投写光学系と、映像信号回路と、電源とからなる投写型画像表示装置において、
前記粉塵捕捉部は、粉塵捕捉フィルター部と、フィルター送り機構とフィルター送り量検出手段を含む送り機構制御部とからなり、
前記粉塵捕捉フィルター部は、ロール形態の静電フィルターと、前記静電フィルター両端に配置されるフィルター巻き取り軸と、前記静電フィルターと前記フィルター巻き取り軸と前記フィルター送り機構との連結部を備える小型筐体とからなり、
前記小型筐体は、前記フィルター巻き取り軸間において前記吸気口からの空気を透過せしめるための開口部を有し、
前記静電フィルターは、前記開口部に露出している部分が部分的に更新されるよう、前記フィルター巻き取り軸の一方に巻かれた状態から引き出され、もう一方に巻き取られ収納されるように巻き取り制御されており、
前記筐体内には、少なくとも光源部、画像形成部を内包する第１の部屋と、少なくとも電源部を内包する第２の部屋とに、内部を空間的に分ける内壁を備えており、
前記静電フィルターの前記開口部に露出している部分のうち、前記静電フィルターの引き出される側を透過する空気は前記第１の部屋に導かれ、前記静電フィルターの収納側を透過する空気は前記第２の部屋に導かれる様に構成されていることを特徴とする粉塵除去機能を備えた投写型画像表示装置。
【請求項２】
前記小型筐体において前記静電フィルターの収納部は、外部と略密閉構造として構成されていることを特徴とする請求項１記載の粉塵除去機能を備えた投写型画像表示装置。
【請求項３】
前記静電フィルターの一度の送り量は、前記第１の部屋に導かれる空気のための開口幅よりも小さいことを特徴とする請求項１記載の粉塵除去機能を備えた投写型画像表示装置。
【請求項４】
前記フィルターの前記開口部に露出している面積のうち、前記第１の部屋に導かれる空気が通る面積Ｓ１と前記第２の部屋に導かれる空気が通る面積Ｓ２との間には以下の関係があることを特徴とする請求項３記載の粉塵除去機能を備えた投写型画像表示装置。
Ｓ１≧Ｓ２
【請求項５】
前記フィルターを通過した空気のうち、前記第１の部屋、前記第２の部屋へ導かれる空気は、それぞれ別々の吸気ファンにより導かれることを特徴とする請求項１記載の粉塵除去機能を備えた投写型画像表示装置。
【請求項６】
さらに、入出力端子、電源入力部を備え、前記入出力端子、前記電源入力部は、前記第２の部屋に設けられていることを特徴とする請求項１記載の粉塵除去機能を備えた投写型画像表示装置。
【請求項７】
前記入出力端子、前記電源入力部は、前記第１の部屋と前記第２の部屋以外に設けられた、第３の部屋に内包されていることを特徴とする請求項１記載の粉塵除去機能を備えた投写型画像表示装置。
【請求項８】
前記第１の部屋と前記第２の部屋に共通の排気ファンを設けたことを特徴とする請求項１記載の粉塵除去機能を備えた投写型画像表示装置。
【発明の詳細な説明】
【技術分野】
【０００１】
本発明は静電フィルターを用いた粉塵除去機能を備えた投写型画像表示装置に関し、特にロール状の静電フィルターを巻き取ることにより自動的に更新する機能を備えた投写型画像表示装置に関するものである。
【背景技術】
【０００２】
従来、プロジェクタなどの投写型画像表示装置は、光源からの強力光を液晶パネルやＤＭＤ（デジタルミラーデバイス）などの画像表示素子に集光し、この光を画像信号にあわせて変調し、この画像表示素子上の画像を拡大投射して大画面を得るものである。
【０００３】
ここで強力な光にさらされる画像表示素子、光源、装置の電源などのデバイスは発熱が大きく、適当な冷却がなされないと熱的に破壊されてしまう。したがって、投写型画像表示装置はファンにより外気を装置内に導入し、装置内のデバイスを冷却する構成を採っている。
【０００４】
ただし、外気と一緒に粉塵を装置外部から導いてしまい、それが画像表示素子や光源周辺に付着することで明るさ低下や色むらの発生源になるため、対策が必要となっている。
【０００５】
このため、通常は吸気口に粉塵防止のフィルターを配置するようにしているが、主流のウレタンフィルターの場合、短時間で目詰まりを起こしてしまうことから、数百時間毎でのフィルター洗浄が必要である。
【０００６】
また、ウレタンフィルターは物理的に小さな開口に粉塵を引っかけて侵入を抑えるが、１０μｍを下回る大きさの粉塵を防ぐことは出来ない。よって黄砂やたばこの粒子の侵入を阻止できない。
【０００７】
一方、静電フィルターは開口が大きく圧力損失を抑えながらも、粉塵捕集は静電気で捕集するので小さな埃まで捕捉できる。
【０００８】
しかしながら、捕捉能力を超えると静電気による効果が得られなくなり、ウレタンフィルターより大きい開口をもつことが弱点となり、粉塵は捕捉されず装置内に侵入してきてしまう。
【０００９】
また、静電フィルターは、洗浄が出来ないことから数百時間毎に新品交換を行う必要があった。
【００１０】
しかしながら、プロジェクタに代表される投写型画像装置の多くは天吊り用途で、簡単にフィルター交換が出来る設置状態ではないこともあり、メンテナンスが困難であった。
【００１１】
このため、例えば空気清浄機等の装置では、類似の課題に対して以下のような構造の提案がされている。
【００１２】
特許文献１によれば、静電フィルターを帯状に長く形成して回転ローラに巻き取り自在に張設し、運転時間に応じて自動的に所定量を巻き取る構造を提案している。これをプロジェクタに応用すればフィルター交換時間を伸ばすことが出来ると考えられる。
【００１３】
また、特許文献２では同様な構成に於いて未使用のフィルター収容部と使用済みのフィルター収容部をカセットに一体化してヒンジにより開放可能な構成を採っている。
【特許文献１】特開平５−４９８３０号公報
【特許文献２】特開平６−２６９６９６号公報
【発明の開示】
【発明が解決しようとする課題】
【００１４】
しかしながら、いずれの特許文献においても、静電フィルターを巻き取ることで長期間の使用が可能であるが、静電フィルターは粉塵捕捉能力を超えると空気を清浄化できなくなるため、所定の時間が経てば粉塵捕捉能力を超えた部分はすべて使用済みとしなければならない。
【００１５】
したがって、静電フィルターの長さと、対向する装置の開口部の幅に合わせて使用時間が自動的に決まってしまうため、さらにフィルターの交換回数を減らすには、フィルターを長くし、収納スペースを拡大する必要がある。
【００１６】
しかしながら、投写型画像表示装置においては、特許文献のような空気清浄化は付随的に必要ではあるが、主な目的は装置内の光源、電源などのデバイスを冷却することであり、このためには、空気を吸入する開口部の面積を大きくしなければならない。
【００１７】
一方、セットサイズに余裕がないことから、フィルターの収納場所に大きなスペースを確保できない、という相反する課題があった。
【００１８】
本発明は、上記課題を解決するもので、フィルターの収納場所を拡大することなく、内部の光源、電源などのデバイスを冷却し、かつ、画像表示素子や光源周辺の粉塵の付着を防止しながら、フィルター交換までの時間を延ばすことのできる、粉塵除去機能を備えた投写型画像表示装置を提供することを目的とする。
【課題を解決するための手段】
【００１９】
本発明にかかる投写型画像表示装置は、少なくとも吸気口を有する筐体と、前記吸気口に配置される粉塵捕捉部と、吸気ファンと、光源部と、画像形成部と、投写光学系と、映像信号回路と、電源とからなる投写型画像表示装置において、前記粉塵捕捉部は、粉塵捕捉フィルター部と、フィルター送り機構とフィルター送り量検出手段を含む送り機構制御部とからなり、前記粉塵捕捉フィルター部は、ロール形態の静電フィルターと、前記静電フィルター両端に配置されるフィルター巻き取り軸と、前記静電フィルターと前記フィルター巻き取り軸と前記フィルター送り機構との連結部を備える小型筐体とからなり、前記小型筐体は前記フィルター巻き取り軸間において前記筐体吸気口からの空気を透過せしめるための開口部を有し、前記静電フィルターは、前記開口部に露出している部分が部分的に更新されるよう、前記フィルター巻き取り軸の一方に巻かれた状態から引き出され、もう一方に巻き取られ収納されるように巻き取り制御されており、前記筐体内には、少なくとも光源部、画像形成部を内包する第１の部屋と、少なくとも電源部を内包する第２の部屋とに、内部を空間的に分ける内壁を備えており、前記静電フィルターの前記開口部に露出している部分のうち、前記静電フィルターの引き出される側を透過する空気は前記第１の部屋に導かれ、前記静電フィルターの収納側を透過する空気は前記第２の部屋に導かれる様に構成されていることを特徴として構成されている。
【００２０】
さらに、前記小型筐体において集塵済みのフィルター収納部は、外部と略密閉構造として構成されていることを特徴としても構成できる。
【００２１】
また、前記静電フィルターの一度の送り量は、前記第１の部屋に導かれる空気のための開口幅よりも小さいことを特徴としても構成可能である。
【００２２】
また、前記静電フィルターの前記開口部に露出している面積のうち、前記第１の部屋に導かれる空気が通る面積Ｓ１と前記第２の部屋に導かれる空気が通る面積Ｓ２との間には以下の関係が成立することを特徴として構成できる。
【００２３】
Ｓ１≧Ｓ２
さらに、前記フィルターを通過した空気のうち、空気第１の部屋、空気第２の部屋へ導かれる空気は、それぞれ別々の吸気ファンを通過することを特徴として構成できる。
【００２４】
また、前記フィルターを通過した空気のうち、第１の部屋、第２の部屋へ導かれる空気はそれぞれ別々の吸気ファンにより導かれる。
【００２５】
また、入出力端子、電源入力部は、前記第２の部屋に設けられていることを特徴として構成される、あるいは、入出力端子、電源入力部は前記第１の部屋と前記第２の部屋以外に設けられた、第３の部屋に内包されて構成できる。
【００２６】
また、前記第１の部屋と前記第２の部屋に共通の排気ファンを設けても構成できる。
【発明の効果】
【００２７】
静電フィルターは、埃が付着してくると徐々に集塵性能が劣化してくる。そこで、ロール式フィルターにおいて、フィルターの更新を開口全て一度に行わず部分的に順次行う場合、フィルター巻き取り側の埃付着が多く、引き出されてくる側はフィルターが新しく、集塵性能に優れている。
【００２８】
本発明によれば、少量でも埃が付着すると投写画像に像として映る、あるいは投写画像の明るさが低下することから、高い集塵性能を求められる画像形成部が備えられた第１の部屋に導かれる空気は、フィルターの引き出し側の開口を通ってくるように、また、放熱のために冷却が求められるが、放熱性に大きな影響を与えない程度の埃の侵入は許容される電源部等が備えられた第２の部屋に導かれる空気は、フィルターの巻き取り側の開口を通って来るように構成されている。
【００２９】
このようにして、開口部分を使い分けることによって、最小のフィルター面積で必要な防塵性能を実現することが出来る。
【００３０】
特に電源部は前述のように、画像形成部、光源部に比べて埃に強い。また、集塵フィルターを通る空気の風速が早くなると、フィルターの種類によらず集塵性能が低下するということを考慮し、本発明では、画像形成部や光源を収納する第１の部屋に導かれる空気が透過するフィルターの開口面積は、電源部を収納する第２の部屋に導かれる空気が透過するフィルターの開口面積よりも広いことを特徴として構成している。
【００３１】
特に前者の開口面積は後者の面積の整数倍であれば、一度の送りで、後者は前者面の一部分の更新によって全面が更新されることになる。
【００３２】
このようにすることで、第２の部屋への開口を覆うフィルターは、第１の部屋への開口を覆っていたフィルターとして使用されてきたもので、集塵性能は劣化していることも考えられるが一度に全面更新されることでその劣化を最小限に抑えることが可能となる。
【００３３】
第１の部屋への開口を覆っていたフィルターの集塵性能が劣化するということは、画像形成部に影響を与える小さな埃が付着しにくくなったということであり、大きな埃の侵入を防いだり、通風に関しては問題ないため、第２の部屋のような、小さな埃の侵入を許容できる場所に対しては、集塵性能は十分であり、引き続きそのフィルターを使用することができる。
【００３４】
従って、フィルターの寿命を大幅に延ばすことができる。
【００３５】
また、第１の部屋と第２の部屋の両開口面積が等しくても成り立つことは言うまでもない。
【発明を実施するための最良の形態】
【００３６】
以下、本発明にかかる投写型画像表示装置の実施の形態を図１〜図５を用いて説明する。
【００３７】
（実施の形態１）
本発明の実施の形態１による投写型画像表示装置の全体構成図を図１に示す。図において、全体は筐体１００に内包されており、その内部は隔壁１０１によって第１の部屋１０２、第２の部屋１０３に分けられている。
【００３８】
第１の部屋１０２には光学装置や光源が納められている。
【００３９】
第１の部屋１０２では、光源１０４から出射された光は、反射鏡１０５により前方に出射せしめられる。
【００４０】
光学ユニット１０６への入射光は、ダイクロイックミラー１０７、１０８、全反射ミラー１０９、１１０、１１１を経て赤、緑、青の色光に分離された後、入射側偏光板１１２Ｒ、１１２Ｇ、１１２Ｂ、液晶パネル１１３Ｒ、１１３Ｇ、１１３Ｂ、出射側偏光板１１４Ｒ、１１４Ｇ、１１４Ｂによって、図にはない外部からの入力信号によって強度変調せしめられる。
【００４１】
これらの光はダイクロイック反射膜１１５Ｒ、１１５Ｂを備えた合成プリズム１１６で一光路上に合成され、投写レンズ１１７に入射する。
【００４２】
この投写レンズ１１７は、液晶パネル１１３Ｒ、１１３Ｇ、１１３Ｂ上の画像を、装置前方に配置されたスクリーン（図示せず）に拡大投写可能に設計、設置されている。
【００４３】
この画像表示は黒表示のためには光源１０４からの光を入射側、出射側偏光板で吸収する必要があり、このため、高温を発することになる。
【００４４】
これらの偏光板は主に有機材料から成っているので、適当な温度にまで冷却しないと変質し、制御できない画像となり、投写型画像表示装置が使用不能に陥る。
【００４５】
一方で、液晶パネル１１３Ｒ、１１３Ｇ、１１３Ｂ上の画像を装置前方に拡大投射することから、ここに埃が進入すると埃像が形成されることになり、画質を損ねることになる。
【００４６】
また、明確な像にならないまでも、入射側、出射側偏光板や合成プリズム表面に埃の付着があれば光が通りにくくなり、投写像の明るさの劣化を招く。
【００４７】
このため外気を取り入れる際に、埃の進入を阻止する必要がある。
【００４８】
さらに、装置内にはこのほかに、発光時１０００℃にもなる光源の管球、及び周辺の機構部品の信頼性を確保するためには冷却手段が必要となる。
【００４９】
ここでも液晶パネル周辺と同じ理由により埃の進入は避ける必要がある。
【００５０】
これらの冷却のために第１の部屋１０２では、吸気ファン１１９で外気を吸気し、光学ユニット１０６の下部に設けられたダクト１２０によってこの風を導いて、開口１２０ａから放出し、液晶パネル周辺を重点的に冷却できるようになっている。
【００５１】
この図において、ダクト１２０の壁面１２１は、隔壁１０１と共に第１の部屋１０２と第２の部屋１０３を分離して、空気の往来がないようにするための仕切り壁として利用されている。
【００５２】
また、第１の部屋１０２内の熱で暖められた空気を外部に放出するための排気ファン１２２が設けられている。
【００５３】
このように、吸気ファン１１９によって吸気された外気は、ダクト１２０−開口１２０ａ−光学ユニット１０６−光源１０４−排気ファン１２２の順に流れ、風路上のデバイスを冷却する。
【００５４】
一方、第２の部屋１０３には、信号処理回路や光源の電源ユニット１２３が納められている。
【００５５】
この電源ユニット１２３は、自己発熱が顕著で、冷却を行わないと自身が破壊されてしまう。
【００５６】
そのため、高熱に成る部分は、ヒートシンク（図示せず）を併用するなどしているのが一般的である。
【００５７】
ここでは、ヒートシンク上などに埃が堆積することによって放熱能力が劣化し、信頼性劣化につながる恐れはあるが、埃が付着することによる影響は、光源１０４や光学ユニット１０６の比ではない。
【００５８】
よって、第１の部屋１０２ほど空気中の埃進入に敏感ではなく、埃進入は避けた構成が望ましいという程度に過ぎない。
【００５９】
また、この第２の部屋１０３を形成する壁面には、投写画像を形成するための映像信号を受けるために、入出力端子１２４や電源供給部１２５が備えられている。
【００６０】
これら入出力端子１２４や電源供給部１２５は一般的な部品で構成されており、その部品は防塵性を十分考慮されたものではないことから、この部分からの埃進入は避けにくい。
【００６１】
よって、比較的埃の進入に強い第２の部屋１０３側に設けられている。
【００６２】
第２の部屋１０３には吸気ファン１２６が設けられており、外気を吸気し、電源ユニット１２３に送っている。
【００６３】
本実施の形態では、排気口１２７から電源ユニット１２３等の熱を奪った空気が放出される構成となっているが、吸気ファン１２６の代わりに、排気口１２７に排気ファンを配置しても、ほぼ同様の冷却を行うことができる。
【００６４】
本実施の形態では、筐体１００の吸気口１２８と、吸気ファン１１９、１２６間には粉塵捕捉部１２９が備えられており、吸気口１２８と粉塵捕捉部１２９の間には空気を通さない緩衝材１３０が複数箇所設けられて、隙間から空気が漏れないようにしている。
【００６５】
以下に粉塵捕捉部１２９の構造について説明する。
【００６６】
粉塵捕捉部１２９は、粉塵捕捉フィルター部と、フィルター送り機構とフィルター送り量検出手段を含む送り機構制御部とから構成されており、粉塵捕捉フィルター部は、ロール形態の静電フィルター１３１と、静電フィルター１３１の両端に配置されるフィルター巻き取り軸１３２ａ、１３２ｂと、静電フィルター１３１とフィルター巻き取り軸１３２ａ、１３２ｂと、中継回転軸１３３、走行量モニター軸１３４と、これらを収納する小型筐体１３６とから構成されている。
【００６７】
小型筐体１３６は、フィルター通過部から第１の部屋１０２と第２の部屋１０３に吸気される空気を仕切るために、ダクト１２０の壁面１２１に連続的につながるような仕切壁１３５と、フィルター巻き取り軸間において、筐体１００の吸気口１２８からの空気を透過せしめるための開口部１３７を有している。
【００６８】
フィルター巻き取り軸１３２ｂは図２にあるように、端部には凹部１３８が設けられており、この凹部１３８には連結部１３９が連結されている。
【００６９】
連結部１３９には軸１４０を介してギア１４１が固定されている。このギア１４１が小型ギア１４２を介してステッピングモーター１４３に接続されている。このステッピングモーター１４３は、図にはない駆動回路によって制御されている。
【００７０】
また、図３に有るように、走行量モニター軸１３４上を走行する静電フィルター１３１が密着するよう押圧機構１４５を備えている。
【００７１】
押圧機構１４５は、本体１４６の先端に、フィルターとの間で摩擦が小さくなるよう回転自在のローラー１４７が備えられており、他端は、装置本体に固定された支柱１４８を回転自在に保持する。
【００７２】
また付勢バネ１４９は、支柱１４８を通して両端は押圧機構本体１４６にかかり、中央部は、図にはない装置本体の固定部にかかって、押圧機構のローラー１４７は、静電フィルター１３１を介して走行量モニター軸１３４に押し付けるように構成されている。
【００７３】
このようにして、静電フィルター１３１が巻き上げられた際に走行量モニター軸１３４が回転する。
【００７４】
この構成によれば、フィルターを巻き上げて行くうちに、巻き取り軸の太さが変わった場合、一定量フィルターを送るのにかかる時間は大きく変わるが、走行量モニター軸１３４の回転は常にフィルター送り量に合わせた回転数となる。
【００７５】
これを生かして、図４に有るように、小型筐体１３６の底部１５０から突出した走行量モニター軸１３４の端には、図のような回転検出反射パターン１５１が設けられており、対向する位置にパターン検出センサー１５２が装置本体壁１５３に固定して構成されている。
【００７６】
よって静電フィルター１３１の送り量を、パターン検出センサー１５２のパターン検出出力によって把握することが出来る。
【００７７】
この出力読み取りと、ステッピングモーター１４３と制御回路（図示せず）に備えられたタイマーを連動することで、常に静電フィルター１３１を適当な状態に管理することが可能となる。
【００７８】
静電フィルターは、初期集塵性能は高いが、粉塵が多く付着すると急激に集塵能力が落ちる、通気性が悪くなり圧力損失が大きくなることで冷却性能が落ちるという課題があったが、長時間使用の際にも上記の制御を行うことで、自動的に高い集塵性能を実現することが出来る。
【００７９】
小型筐体１３６は装置本体に対して脱着可能に設けられている。先に述べたように、フィルター送り機構との連結部を備えることで装置本体からの動力を伝達され、内包するフィルター巻き取り軸１３２ｂを回転することで静電フィルター１３１を送っている。
【００８０】
それでも、備えるフィルターが厚く巻き取り量がわずかしか確保できないものや、ロール状にした形態で必要なフィルターを収容する容積が確保できない場合は、フィルターを使い切る可能性がある。
【００８１】
この際には、新しいフィルターを備えた別の小型筐体１３６に交換すれば、集塵性能を回復できる。
【００８２】
また、交換時に装置の設置状況によっては、小型筐体１３６が抜け落ちる可能性があるので、図３に示す押圧機構本体１４６から延出した腕部１５４が、小型筐体１３６装着時には落下等の安易な抜けを防止するよう、係る構成を採っている。
【００８３】
交換者はこの腕部１５４を回避せしめれば、小型筐体１３６を抜くことが可能となると同時に、走行量モニター軸１３４を押圧する押圧機構１４５を回避させることも、部品増なく実現できる。
【００８４】
小型筐体１３６は、フィルターが通る部分を除いて略密閉構造になっており、集塵済みのフィルターからの粉塵が内部に飛散することを抑えている。
【００８５】
前述のように、小型筐体１３６のフィルターの開口面積のうち所定の割合で、仕切壁１３５で仕切られる。本実施の形態では、分りやすくするため、１／２の位置で仕切っている。
【００８６】
この仕切壁１３５によって、ロール状フィルターが開口部１３７の幅の１／２だけ引き出された際には、新しいフィルターを透過する空気は第１の部屋１０２に導かれる。
【００８７】
また、それまで使用していた部分のフィルターを透過する空気は、第２の部屋１０３に導かれる。
【００８８】
つまり、粉塵捕捉部１２９の制御において、一度に引き出すフィルター量が開口部１３７の面積よりも小さいとき（この場合は１／２）、第２の部屋１０３よりも第１の部屋１０２に導かれる空気の方が、フィルター部の集塵性能の差からそこに含まれている埃は少ないことになる。
【００８９】
また、第１の部屋１０２に導かれる風が通る面積Ｓ１と、第２の部屋１０３に導かれる風が通る面積Ｓ２との間には以下の関係がある。
【００９０】
Ｓ１≧Ｓ２
これは、冷却のための空気が足りなければ吸気ファン１２６の送風能力を上げて補うことが出来、静電フィルター１３１は、透過する空気の風速が早くなると集塵能力が低下してしまうが、第２の部屋１０３には比較的埃に強い部品が内包されていることから、実用上問題ない範囲で上記Ｓ２を小さくすることが出来るためである。
【００９１】
これにより、開口部１３７を最小とすることが可能となり、装置全体の小型化、低コスト化を実現することが出来る。
【００９２】
（実施の形態２）
本発明の実施の形態２による投写型画像表示装置の全体構成図を図５に示す。図において、実施の形態１における図１と同様のものは、同一の番号を付し説明を省略する。
【００９３】
図において、入出力端子１２４や電源供給部１２５は、実施の形態１では、第２の部屋１０３を形成する壁面に設けていたが、入出力端子１２４や電源供給部１２５は必ずしも冷却を必要としないことから、図にあるように、壁面１５５で仕切って別区域である第３の部屋１５６を設けてここに納めることで、第１の部屋１０２内を有効に冷却することが出来る。
【００９４】
また、この構成は画像表示素子からの距離が近くなってノイズが乗りにくい、電気配線が簡素になるなどの効果がある。
【００９５】
また、図５にあるように、排気ファン１２２の排気能力が十分であれば、第１の部屋１０２と第２の部屋１０３共有の排気ファンとすることもできる。
【００９６】
これらの実施の形態では、第２の部屋１０３にも吸気ファン１２６を電源ユニット１２３の風上に置いたが、この順序を逆にしても、あるいは電源ユニット１２３の風上風下両方に設けることも可能である。
【００９７】
一般的に、ここに示したように、風下に配置した方が、局部的な冷却が容易なのでセット全体の小型化、低コスト化に有利と思われる。
【００９８】
また、これらの実施の形態で、走行量モニター軸１４７の回転検出に端にはパターン検出センサー１５１を用いたが、光学センサーの別な種類のものでも応用可能であるし、回転数を機械的に読み込む回転センサーでも応用可能である。
【００９９】
また、これらの実施の形態では、投写画像を表示するスクリーンを装置本体に備えていない二体型画像表示装置で説明したが、スクリーンを備えた一体型の場合も有効である。この場合、投写レンズからスクリーンに至る投写域が増えることになるが、ここは冷却が必要な区域ではないので、第１の部屋、第２の部屋とは別の密閉された部屋とすることが望ましい。
【０１００】
また、これらの実施の形態では、画像表示装置を液晶パネルとしたがＴＩ社が供給するＤＭＤ素子を用いるＤＬＰシステムでも同等の構成を取り、同様の効果を期待できることは言うまでもない。
【０１０１】
使用するモーターもここで使用したステッピングモーター１４３に換えてより安価なモーターに変えることも可能なことは言うまでもない。ただし回転数に合わせての適当な減速手段が必要である。
【産業上の利用可能性】
【０１０２】
本発明かかる投写型画像表示装置は、フィルターの収納場所を拡大することなく、内部の光源、電源などのデバイスを冷却し、かつ、画像表示素子や光源周辺の粉塵の付着を防止しながら、フィルター交換までの時間を延ばすことができ、粉塵除去機能を備えた投写型画像表示装置に有用である。
【図面の簡単な説明】
【０１０３】
【図１】本発明の実施の形態１による投写型画像表示装置の構成図
【図２】本発明の実施の形態１のフィルター巻き取り部、連結、駆動部の説明図
【図３】本発明の実施の形態１の押圧装置構成の説明図
【図４】本発明の実施の形態１のフィルター巻き取り量検出構成の説明図
【図５】本発明の実施の形態２による投写型画像表示装置の構成図
【符号の説明】
【０１０４】
１００  筐体
１０１  隔壁
１０２  第１の部屋
１０３  第２の部屋
１０４  光源
１０５  反射鏡
１０６  光学ユニット
１０７、１０８  ダイクロイックミラー
１０９、１１０、１１１  全反射ミラー
１１２Ｒ、１１２Ｇ、１１２Ｂ  入射側偏光板
１１３Ｒ、１１３Ｇ、１１３Ｂ  液晶パネル
１１４Ｒ、１１４Ｇ、１１４Ｂ  出射側偏光板
１１５Ｒ、１１５Ｂ  ダイクロイック反射膜
１１６  合成プリズム
１１７  投写レンズ
１１９、１２６  吸気ファン
１２０  ダクト
１２１  壁面
１２２  排気ファン
１２３  電源ユニット
１２４  入出力端子
１２５  電源供給部
１２７  排気口
１２８  吸気口
１２９  粉塵捕捉部
１３０  緩衝材
１３１  静電フィルター
１３２ａ、１３２ｂ  フィルター巻き取り軸
１３３  中継回転軸
１３４  走行量モニター軸
１３５  仕切壁
１３６  小型筐体
１３７  開口部
１３８  フィルター巻き取り軸凹部
１３９  連結部
１４０  軸
１４１  ギア
１４２  小型ギア
１４３  ステッピングモーター
１４５  押圧機構
１４６  押圧機構本体
１４７  ローラー
１４８  支柱
１４９  付勢バネ
１５０  小型筐体の底部
１５１  回転検出反射パターン
１５２  パターン検出センサー
１５３  装置本体壁
１５４  腕部
１５５  壁面
１５６  第３の部屋
【図１】
2009186720.tif 000003
【図２】
2009186720.tif 000004
【図３】
2009186720.tif 000005
【図４】
2009186720.tif 000006
【図５】
2009186720.tif 000007